(57)【特許請求の範囲】
【請求項１】
複数の層が積層されてなる記録媒体であって、
前記複数の層は、ＣＯ2レーザ光が照射されると互いに異なる色に変色する、互いに異なる材質からなり、
当該記録媒体の表面に対する形成角度及び深度が当該記録媒体に付与される情報に基づいて設定され、該設定に基づいて前記ＣＯ2レーザ光を照射することにより形成された複数の穴を有することを特徴とする記録媒体。
【請求項２】
請求項１に記載された記録媒体において、
前記複数の穴が形成された当該記録媒体の表面は、無色透明の保護膜で覆われていることを特徴とする記録媒体。
【請求項３】
請求項１に記載の記録媒体において、
前記複数の穴は、それぞれ無色透明の樹脂が充填されていることを特徴とする記録媒体。
【請求項４】
複数の層が積層されてなる記録媒体の製造方法であって、
ＣＯ2レーザ光が照射されると互いに異なる色に変色する、互いに異なる材質からなる前記複数の層を順次積層する工程と、
前記記録媒体の表面側から、当該記録媒体に付与する情報に基づいて決まる形成角度及び深度を有する複数の穴を前記ＣＯ2レーザ光を照射することにより形成する工程とを順次行うことを特徴とする記録媒体の製造方法。
【請求項５】
請求項４に記載の記録媒体の製造方法において、
前記レーザ光の発光エネルギーを制御することによって前記穴の深度を制御することを特徴とする記録媒体の製造方法。
【発明の詳細な説明】
【０００１】
【発明の属する技術分野】
本発明は、情報が書き込まれたカード等の記録媒体に関し、特に、複数の層が積層されてなる記録媒体に関する。
【０００２】
【従来の技術】
近年、情報化社会の進展に伴い、カード等の記録媒体に所定の情報を書き込み、情報が書き込まれたカードによって個人認証を行うサービスやショッピングを利用可能とするサービス等が行われている。このようなサービスにおいては、予め所定のカードにその用途に応じて決められた情報を書き込んでおき、サービスを利用する場合に、カードに書き込まれた情報を読み取り、読み取った情報を用いてサービスの提供が行われる。
【０００３】
このような情報が書き込まれるカードとしては、様々なものが挙げられるが、最も簡単な構造のものとして表面に情報が印字されただけのものから、構造的に複雑なものとしてＩＣが埋め込まれたＩＣカード等がある。これらのカードにおいては、書き込まれた情報が、カードに対する情報の書き込み方法に応じた読み取り方法によって読み取られることになる。例えば、表面にバーコード情報が印字されたカードにおいては、表面にバーコードリーダを翳すことによりバーコードとして書き込まれた情報が読み取られ、また、表面に磁気ストライプが貼付されたカードにおいては、磁気により情報を読み取る専用の読取装置によって磁気ストライプに書き込まれた情報が読み取られ、さらに、ＩＣが埋め込まれたカードにおいては、ＩＣから電気的に情報を読み取る専用の読取装置によってＩＣに書き込まれた情報が読み取られる。
【０００４】
【発明が解決しようとする課題】
しかしながら、上述したような情報が書き込まれたカード等の記録媒体は偽造されてしまう虞れがあり、偽造された場合は、偽造カードを用いて本物のカードと同等のサービスが提供されてしまうことになってしまう。特に、表面に情報が印字されただけのカードにおいては、偽造の容易性が高く、また、近年では、表面に磁気ストライプが貼付されたカードにおいても、容易に偽造されるようになってきている。
【０００５】
本発明は、上述したような従来の技術が有する問題点に鑑みてなされたものであって、偽造の難易性を向上させることができる記録媒体及びその製造方法を提供することを目的とする。
【０００６】
【課題を解決するための手段】
上記目的を達成するために本発明は、
複数の層が積層されてなる記録媒体であって、
前記複数の層は、ＣＯ2レーザ光が照射されると互いに異なる色に変色する、互いに異なる材質からなり、
当該記録媒体の表面に対する形成角度及び深度が当該記録媒体に付与される情報に基づいて設定され、該設定に基づいて前記ＣＯ2レーザ光を照射することにより形成された複数の穴を有することを特徴とする。
【０００７】
また、前記複数の穴が形成された当該記録媒体の表面は、無色透明の保護膜で覆われていることを特徴とする。
【０００８】
また、前記複数の穴は、それぞれ無色透明の樹脂が充填されていることを特徴とする。
【０００９】
また、複数の層が積層されてなる記録媒体の製造方法であって、
ＣＯ2レーザ光が照射されると互いに異なる色に変色する、互いに異なる材質からなる前記複数の層を順次積層する工程と、
前記記録媒体の表面側から、当該記録媒体に付与する情報に基づいて決まる形成角度及び深度を有する複数の穴を前記ＣＯ2レーザ光を照射することにより形成する工程とを順次行うことを特徴とする。
【００１０】
また、前記レーザ光の発光エネルギーを制御することによって前記穴の深度を制御することを特徴とする。
【００１１】
（作用）
上記のように構成された本発明においては、互いに異なる材質からなる複数の層を順次積層し、その後、その表面側から、記録媒体に付与する情報に基づいて決まる形成角度及び深度を有する複数の穴をＣＯ2レーザ光を照射することにより形成する。このように製造された記録媒体においては、穴の形成角度が記録媒体に付与される情報に基づいて決められているため、穴を見る方向によって穴の底面まで見えたり側面しか見えなかったりする。ここで、記録媒体を構成する複数の層においては、ＣＯ2レーザ光を照射した場合にそれぞれ異なる色に変色する。そこで、穴の深度を記録媒体に付与される情報に基づいて決めておけば、穴を見る方向や穴の深度によって穴毎に見える色が異なることになり、この見える色の違いによって特定の情報を表現すれば、記録媒体に特定の情報を書き込むことができ、記録媒体の偽造の難易性が向上する。
【００１２】
【発明の実施の形態】
以下に、本発明の実施の形態について図面を参照して説明する。
【００１３】
図１は、本発明の記録媒体の実施の一形態を示す図であり、（ａ）は表面の構造の示す図、（ｂ）は（ａ）に示したＡ−Ａ’断面図、（ｃ）は（ａ）に示したＢ−Ｂ’断面図である。
【００１４】
本形態は図１に示すように、生分解プラスチック層３１ａと塩化ビニール層３２とペット材層３３と生分解プラスチック層３１ｂとが順次積層されて構成されたものであって、その表面となる生分解プラスチック層３１ｂ上には、所定の情報が印字された印字領域１０が設けられている。また、生分解プラスチック層３１ｂの表面側から穴２０ａ〜２０ｆが所定の角度及び深度を有して形成されている。なお、穴２０ａ〜２０ｆの形成角度及び深度においては、穴２０ａ，２０ｂ，２０ｄ，２０ｅの形成角度及び深度が同一であるものとし、かつ、穴２０ｃ，２０ｆの形成角度及び深度が同一であるものとする。
【００１５】
以下に、上記のように構成された記録媒体の製造方法について説明する。
【００１６】
図２は、図１に示した記録媒体の製造方法を説明するための図である。
【００１７】
まず、生分解プラスチックからなる生分解プラスチック層３１ａ上に、塩化ビニールからなる塩化ビニール層３２を形成する（図２（ａ））。
【００１８】
次に、生分解プラスチック３１ａ上に形成された塩化ビニール層３２上に、ペット材からなるペット材層３３を形成する（図２（ｂ））。
【００１９】
次に、塩化ビニール層３２上に形成されたペット材層３３上に、生分解プラスチックからなる生分解プラスチック層３１ｂを形成する（図２（ｃ））。
【００２０】
次に、カード１の表面となる生分解プラスチック層３１ｂ側からカード１の所定の部分にＣＯ2レーザー光を照射し、それにより、穴２０ａを形成する（図２（ｄ））。
【００２１】
ここで、穴２０ａ〜２０ｆの形成方法について詳細に説明する。
【００２２】
本形態においては、穴２０ａ，２０ｂ，２０ｄ，２０ｅの形成角度及び深度が同一のものとし、かつ、穴２０ｃ，２０ｆの形成角度及び深度が同一のものであるとするため、穴２０ａ，２０ｂ，２０ｄ，２０ｅについては、生分解プラスチック層３１ｂに対して所定の同一角度から所定の同一エネルギーでレーザ光を照射し、また、穴２０ｃ，２０ｆについては、生分解プラスチック層３１ｂに対して所定の同一角度から所定の同一エネルギーでレーザ光を照射する。穴２０ａ〜２０ｆの深度は、照射するレーザ光のエネルギーによって決まるため、穴２０ａ，２０ｂ，２０ｄ，２０ｅが形成される部分に対しては、生分解プラスチック層３１ａ側から塩化ビニール層３２まで達する穴が形成されるようなエネルギーでレーザ光を照射し、また、穴２０ｃ，２０ｆが形成される部分に対しては、生分解プラスチック層３１ａ側からペット材層３３まで達する穴が形成されるようなエネルギーでレーザ光を照射する。
【００２３】
すると、穴２０ａ，２０ｂ，２０ｄ，２０ｅにおいては、図１（ｂ）に示すような、生分解プラスチック層３１ａ側から塩化ビニール層３２まで達するような穴が同一角度を有して形成され、また、穴２０ｃ，２０ｆにおいては、図１（ｃ）に示すような、生分解プラスチック層３１ａ側からペット材層３３まで達するような穴が同一角度を有して形成される。なお、穴２０ａ〜２０ｆの形成角度の詳細については後述する。
【００２４】
その後、生分解プラスチック層３１ｂ表面の印字領域１０に所定の情報を印字し、その表面を無色透明のラミネート膜３４によって被覆してカード１が完成する（図２（ｅ））。なお、穴２０ａ〜２０ｆが形成された生分解プラスチック層３１ｂ表面をラミネート膜３４によって被覆せずに、穴２０ａ〜２０ｆに無色透明の樹脂を流し込むことによって穴２０ａ〜２０ｆの目詰まりを防止することも考えられる。
【００２５】
なお、本形態においては、穴２０ａ〜２０ｆを形成した後に生分解プラスチック層３１ｂ表面の印字領域１０に所定の情報を印字しているが、生分解プラスチック層３１ｂの表面の印字領域１０に所定の情報を印字した後に穴２０ａ〜２０ｆを形成してもよい。
【００２６】
以下に、上記のように製造された記録媒体の使用方法について説明する。
【００２７】
図３は、図１に示した記録媒体の使用方法を説明するための図であり、（ａ）は記録媒体を見る方向を示す図、（ｂ）は（ａ）に示したＡ方向から記録媒体を見た場合の穴２０ａ〜２０ｆの状態を示す図、（ｃ）は（ａ）に示したＢ方向から記録媒体を見た場合の穴２０ａ〜２０ｆの状態を示す図である。
【００２８】
図１及び図３に示したように本形態においては、穴２０ａ，２０ｂ，２０ｄ，２０ｅが、図３（ａ）中Ａ方向からカード１を見る方向に形成されており、また、穴２０ｃ，２０ｆが、図３（ａ）中Ｂ方向からカード１を見る方向に形成されている。そのため、カード１を図３（ａ）中Ａ方向から見た場合は、穴２０ａ，２０ｂ，２０ｄ，２０ｅにおいては、それぞれ穴２０ａ，２０ｂ，２０ｄ，２０ｅの底面が見え、それにより、図３（ｂ）に示すように、穴２０ａ，２０ｂ，２０ｄ，２０ｅの底面となる塩化ビニール層３２が見えることになる。ここで、塩化ビニール層３２においては、ＣＯ2レーザー光を照射した場合、その色が赤茶色に変化する。そのため、穴２０ａ，２０ｂ，２０ｄ，２０ｅの底面が赤茶色に変色し、その赤茶色が穴２０ａ，２０ｂ，２０ｄ，２０ｅから見えることになる。また、カード１を図３（ａ）中Ｂ方向から見た場合は、穴２０ｃ，２０ｆにおいては、それぞれ穴２０ｃ，２０ｆの底面が見えるため、図３（ｃ）に示すように、穴２０ｃ，２０ｆの底面となるペット材層３３が見えることになる。ここで、ペット材層３３においては、ＣＯ2レーザー光を照射した場合、その色がグレーに変化する。そのため、穴２０ｃ，２０ｆの底面がグレーに変色し、そのグレーが穴２０ｃ，２０ｆから見えることになる。一方、カード１を図３（ａ）中Ａ方向から見た場合における穴２０ｃ，２０ｆにおいては、それらの底面が見えないため、図３（ｂ）に示すように、穴２０ｃ，２０ｆの側面となる生分解プラスチック層３１ｂが見え、また、カード１を図３（ａ）中Ｂ方向から見た場合における穴２０ａ，２０ｂ，２０ｄ，２０ｅにおいても、それらの底面が見えないため、図３（ｃ）に示すように、穴２０ａ，２０ｂ，２０ｄ，２０ｅの側面となる生分解プラスチック層３１ｂが見えることになる。ここで、生分解プラスチック層３１ｂにおいては、ＣＯ2レーザー光を照射した場合、その色が変化しない。そのため、カード１を図３（ａ）中Ａ方向から見た場合における穴２０ｃ，２０ｆや、カード１を図３（ａ）中Ｂ方向から見た場合における穴２０ａ，２０ｂ，２０ｄ，２０ｅからは生分解プラスチック層３１ｂの表面と同じ色が見えることになる。
【００２９】
このように、カード１を見る方向によって穴２０ａ〜２０ｆのうち底面が見える穴が変化し、それに伴って穴２０ａ〜２０ｆの色が変化するように見えるので、この穴２０ａ〜２０ｆの形成角度及び深度を変えることにより、特定の情報を表現することができる。
【００３０】
これにより、穴２０ａ〜２０ｆを用いて特定の情報が表現されるように、穴２０ａ〜２０ｆの形成角度及び深度を調整して穴２０ａ〜２０ｆを形成すれば、カード１に特定の情報を書き込むことができ、この情報を用いてカードの真贋判定を行えば、カードの偽造防止を図ることができる。
【００３１】
ここで、穴２０ａ〜２０ｆの径と形成角度と生分解プラスチック層３１ｂの厚さとの関係について詳細に説明する。
【００３２】
図４は、図１に示した記録媒体の穴２０ａ〜２０ｆの径と形成角度と生分解プラスチック層３１ｂの厚さとの関係を説明するための図である。
【００３３】
図４に示すように、穴２０ａ〜２０ｆの径をｒ、カード１表面に対する穴２０ａ〜２０ｆの形成角度をθ、生分解プラスチック層３１ｂの厚さをｄとすると、θ≦ｔａｎ-1（ｄ／ｒ）の条件を満たした場合、穴２０ａ〜２０ｆを真上から見ると、全ての穴２０ａ〜２０ｆにおいてその側面となる生分解プラスチック層３１ｂしか見えず、それにより、全ての穴２０ａ〜２０ｆの色が生分解プラスチック３１ｂの表面と同じ色に見えることになる。
【００３４】
また、上記条件を満たさない場合、すなわち、θ＞ｔａｎ-1（ｄ／ｒ）の条件を満たした場合は、穴２０ａ，２０ｂ，２０ｄ，２０ｅと穴２０ｂ，２０ｆとが真上から見た場合でも互いに異なる色（模様）に見えることになる。
【００３５】
上述した２つの条件、θ≦ｔａｎ-1（ｄ／ｒ），θ＞ｔａｎ-1（ｄ／ｒ）は、そのカードの目的や用途に応じて適宜設定することが好ましい。
【００３６】
なお、本形態においては、穴２０ａ，２０ｂ，２０ｄ，２０ｆの深度と穴２０ｃ，２０ｅの深度とを互いに異ならせるとともに、穴２０ａ，２０ｂ，２０ｄ，２０ｆの形成角度と穴２０ｃ，２０ｅの形成角度とを互いに異ならせている。これは、穴２０ａ，２０ｂ，２０ｄ，２０ｆの深度と穴２０ｃ，２０ｅの深度とを互いに異ならせるだけでも、特定の情報を表現することはできるが、その場合、容易に偽造されてしまう虞れがあり、穴２０ａ〜２０ｆの形成角度を異ならせることにより偽造の難易性を高めるためである。
【００３７】
また、上述したようなカードにおいては、偽造防止を目的とする以外にも、積層される層の数や形成角度を調整することにより、カードを見る方向によって変化する画像情報を表現することができる。
【００３８】
また、上述した実施の形態においては、穴２０ａ〜２０ｆの色を目視にて認識しているが、専用の光学的読取装置を用いて、所定の角度から穴２０ａ〜２０ｆに光を照射し、その反射率によって情報を読み取ることも考えられる。
【００３９】
また、上述した実施の形態においては、その表面に情報が印字されただけのカードに穴２０ａ〜２０ｆを形成するものについて説明したが、表面に磁気ストライプが貼付された磁気カードや、ＩＣが内蔵されたＩＣカード等にも本発明を適用することは可能であり、また、カード以外にもＩＣが内蔵されたＩＣタグに穴２０ａ〜２０ｆを形成し、上述した使用方法を採用することも考えられる。
【００４０】
また、上述した実施の形態においては、穴２０ａ〜２０ｆを形成するためのレーザ光としてＣＯ2レーザ光を用いたが、Ｙａｇレーザ光を用いた場合は、ＣＯ2レーザ光のように記録媒体を構成する層の材質によって色が変化することはなく、生分解プラスチック層３１ａ，３１ｂ、塩化ビニール層３２及びペット材層３３の全てがグレーに変化する。この特性を利用して、記録媒体を異なる材質からなる複数の層から構成せず、１層あるいは同一の材質からなる複数の層から構成し、穴２０ａ〜２０ｆを形成するためのレーザ光としてＣＯ2レーザ光とＹａｇレーザ光とを使い分けることにより、特定の情報を穴２０ａ〜２０ｆに付与することができる。なお、その場合、穴２０ａ〜２０ｆの形成角度を考慮する必要がないことは言うまでもない。
【００４１】
【発明の効果】
複数の層が積層されてなる記録媒体において、複数の層が互いに異なる材質からなり、記録媒体の表面に対する形成角度及び深度が記録媒体に付与される情報に基づいて設定され、該設定に基づいてＣＯ2レーザ光を照射することにより形成された複数の穴が設けられているため、穴を見る方向によって穴の底面が見えたり側面が見えたりすることになり、かつ、この底面はその材質によってＣＯ2レーザ光を照射することにより異なる色に変色するので、穴の深度を記録媒体に付与される情報に基づいて決めておけば、穴を見る方向や穴の深度によって穴毎に見える色が異なることになり、この見える色の違いによって特定の情報を表現すれば、記録媒体に特定の情報を書き込むことができ、記録媒体の偽造の難易性を向上させることができる。
【図面の簡単な説明】
【図１】本発明の記録媒体の実施の一形態を示す図であり、（ａ）は表面の構造の示す図、（ｂ）は（ａ）に示したＡ−Ａ’断面図、（ｃ）は（ａ）に示したＢ−Ｂ’断面図である。
【図２】図１に示した記録媒体の製造方法を説明するための図である。
【図３】図１に示した記録媒体の使用方法を説明するための図であり、（ａ）は記録媒体を見る方向を示す図、（ｂ）は（ａ）に示したＡ方向から記録媒体を見た場合の穴の状態を示す図、（ｃ）は（ａ）に示したＢ方向から記録媒体を見た場合の穴の状態を示す図である。
【図４】図１に示した記録媒体の穴の径と形成角度と生分解プラスチック層の厚さとの関係を説明するための図である。
【符号の説明】
１    カード
１０    印字領域
２０ａ〜２０ｆ    穴
３１ａ，３１ｂ    生分解プラスチック層
３２    ペット材層
３３    塩化ビニール層
３４    ラミネート膜
【図１】
0004748888.tif 000002
【図２】
0004748888.tif 000003
【図３】
0004748888.tif 000004
【図４】
0004748888.tif 000005